(57)【要約】【課題】ごく簡単な構成でありながら、細部まで化粧料を塗布しやすい、安価なスポンジセットを提供する。【解決手段】円柱状スポンジ体１が、長手方向を所定角度で横切る切断面によって、複数個のスポンジ片Ｘ、Ｙに切断され、互いの切断面が重ねられて切断前の円柱状を保った状態で円筒状包材２に包装されており、上記各スポンジ片Ｘ、Ｙが、個別に化粧料塗布に供されるようになっている。【選択図】図１
2005160630.tif 000002
【特許請求の範囲】
【請求項１】
略柱状スポンジ体が、長手方向を所定角度で横切る切断面によって、複数個のスポンジ片に切断され、互いの切断面が重ねられて切断前の略柱状を保った状態で包装されており、上記各スポンジ片が、個別に化粧料塗布に供されるようになっていることを特徴とするスポンジセット。
【請求項２】
請求項１記載のスポンジセットと、１個のスポンジ片を収容保持するための収容具とが、組み合わせられていることを特徴とするスポンジセット。
【発明の詳細な説明】
【技術分野】
【０００１】
本発明は、化粧料を塗布するためのスポンジ片を複数個組み合わせてなるスポンジセットに関するものである。
【背景技術】
【０００２】
化粧料を塗布するための塗布具としては、従来から、略板状に成形されたスポンジが一般的であるが、より使い勝手のよいものとして、例えば、ゲル素材の表面に薄層を形成したリキッドファンデーション用パフ（特許文献１参照）や、ウレタンスポンジの表面に絹製の不織布を貼り合わせた化粧用パフ（特許文献２参照）や、スポンジ等のパフ本体をプラスチック等からなる支持部材と貼り合わせた簡易型ファンデーション塗布用パフ（特許文献３参照）等が提案されている。
【特許文献１】特開平６−２５３９２７号公報
【特許文献２】特開２０００−２８７７４６号公報
【特許文献３】特開２００２−３４６４９号公報
【発明の開示】
【発明が解決しようとする課題】
【０００３】
しかしながら、これらのパフは、いずれも、複数の部品からなり、製造の手間やコストがかかるため、それほど安価に提供することができないという問題がある。そして、これらは、使い捨てずに、何回か繰り返し使用するため、化粧料塗布部を清浄に保ちにくいという問題もある。
【０００４】
本発明は、このような事情に鑑みなされたもので、ごく簡単な構成でありながら、細部まで化粧料を塗布しやすい、安価なスポンジセットの提供をその目的とする。
【課題を解決するための手段】
【０００５】
上記の目的を達成するため、本発明は、略柱状スポンジ体が、長手方向を所定角度で横切る切断面によって、複数個のスポンジ片に切断され、互いの切断面が重ねられて切断前の略柱状を保った状態で包装されており、上記各スポンジ片が、個別に化粧料塗布に供されるようになっているスポンジセットを第１の要旨とする。
【０００６】
また、本発明は、上記第１の要旨であるスポンジセットと、１個のスポンジ片を収容保持するための収容具とが、組み合わせられているスポンジセットを第２の要旨とする。
【発明の効果】
【０００７】
すなわち、本発明のスポンジセットは、複数個に切断されたスポンジ片が、あたかも切断されていないような略柱状でコンパクトに保持されており、流通、保管時に取り扱いやすい。そして、各スポンジ片の切断面が、互いに重ね合わされているため、埃等の侵入で汚染されることがなく、型崩れすることもない。また、販売時に見栄えがよい。
【０００８】
そして、各スポンジ片が、成型したスポンジ体を複数に切断しただけの非常に簡単な構成で、安価に得られることから、各スポンジ片を、数回化粧料塗布に使用したのちは、順次、新しいスポンジ片に交換して使用することができ、衛生的で、使い勝手がよい。また、１個のスポンジ片において、汚れた部分をはさみ等でカットして清浄な面を切り出すことにより、何回か繰り返して使用することもできる。しかも、各スポンジ片が、略柱状から切り出された切断面を備えており、この切断面の傾斜角度を調整するだけで、切断面が形成されたスポンジ片先端のすぼまり具合を適宜に設定することができるため、簡単に、細かい塗布作業にも具合のよい形状を付与することができる。
【０００９】
さらに、上記各スポンジ片の側周面は、型によって賦形される略柱状スポンジ体の側周面に由来するものであるため、スポンジ片の微細気泡が、側周面では多少型に押し付けられて、内側の部分よりも緻密になっている。このため、各スポンジ片の側周面を手指でもって化粧をする場合、この部分には化粧料がしみ込みにくく、汚れにくいという利点を備えている。一方、切断面では微細気泡による凹凸が比較的粗面になるため、化粧料が付着しやすい。
【００１０】
また、上記スポンジセットに、１個のスポンジ片を収容保持するための収容具を組み合わせたものは、使用途中のスポンジ片を、他の未使用のスポンジ片とは別に保管するのに好都合である。もちろん、この収容具に、１個のスポンジ片を収容して携帯すれば、外出先での化粧直しや、旅行中での化粧に便利であるという利点を有する。
【発明を実施するための最良の形態】
【００１１】
つぎに、本発明を実施するための最良の形態について説明する。
【００１２】
図１は、本発明の一実施の形態であるスポンジセットを示している。このものは、直径３４ｍｍ、高さ１８ｃｍの円柱状のスポンジ体１と、透明プラスチックフィルム製の円筒状包材２と、平面視四角形の半透明プラスチックシート製の小袋３と、剛性の透明プラスチックシートからなる包装箱４とで構成されている。そして、上記スポンジ体１は、上記円筒状包材２に装入され、小袋３とともに上記包装箱４に収容されて、販売に供されるようになっている。
【００１３】
上記スポンジ体１は、発泡ウレタンを金型に充填して円柱状に成形したもので、図２に示すように、その切断面が長手方向となす角度θが４０°となるよう、３個所で斜めに切断されて、４つの部分に分割されている。すなわち、図３（ａ）に示す、一端側が円柱状で他端側が傾斜面６で切り取られた特殊形状のスポンジ片Ｘが２個と、図３（ｂ）示す、両端部が傾斜面７、８で切り取られた特殊形状のスポンジ片Ｙが２個の、計４個である。そして、これらのスポンジ片Ｘ、Ｙは、互いの切断面（傾斜面６〜８）を重ね合わせ、切断前の円柱状を保った状態で、前記円筒状包材２に装入されるようになっている。
【００１４】
また、小袋３（図１に戻る）は、そのＡ−Ａ′断面図である図４（ａ）に示すように、開口部内側には、互いに係合する凸条１０と凹条１１とが向かい合わせに形成されており、両者１０、１１の係合により、開口部を密封することができるようになっている。なお、小袋３の底部は所定幅で内側に折り返されており、この折り返し部１２を拡げることにより、図４（ｂ）に示すように、その底部に幅をもたせることができるようになっている。
【００１５】
上記スポンジセットによれば、複数個に切断されたスポンジ片Ｘ、Ｙが、円柱状でコンパクトに保持されており、流通、保管時に取り扱いやすい。そして、各スポンジ片Ｘ、Ｙの切断面である傾斜面６〜８が、互いに重ね合わせられているため、埃等の侵入で汚染されることがなく、型崩れすることもない。また、販売時の見栄えがよい。そして、各スポンジ片Ｘ、Ｙが、成型されたスポンジ体１を複数にカットしただけの簡単な構成であり、安価に得られることから、数回化粧料塗布に使用したのちは、順次、新しいスポンジ片Ｘ、Ｙに交換して使用することができ、衛生的で、使い勝手がよい。また、１個のスポンジ片Ｘ、Ｙにおいて、汚れた部分をはさみ等でカットして清浄な面を切り出すことにより、何回か繰り返して使用してもよい。しかも、各スポンジ片Ｘ、Ｙの切断面である傾斜面６〜８を利用して化粧料を塗布すると、先端側が細く薄くなっているため、顔の微妙な凹凸にも沿いやすく、細かい塗布作業がしやすいという利点を有する。
【００１６】
そして、上記各スポンジ片Ｘ、Ｙの微細気泡が、側周面では比較的緻密になっているため、この側周面を手指でもって化粧をする場合、この部分には化粧料がしみ込みにくく、汚れにくいという利点を備えている。一方、切断面である傾斜面６〜８では微細気泡による凹凸が比較的粗面で、化粧料が付着しやすくなっている。
【００１７】
さらに、使用途中のスポンジ片ＸまたはＹを、小袋３に収容して、他の未使用のスポンジ片Ｘ、Ｙと別に保管することができ、衛生的である。そして、この小袋３を携帯することにより、外出先での化粧直しや、旅行中での化粧に便利である。
【００１８】
なお、上記の例では、スポンジ体１を、長手方向に対しそれぞれ４０°傾斜した傾斜面６〜８で切断したが、切断の仕方は、特に限定するものではなく、長手方向を横切るように切断して、複数個のスポンジ片を切り出すものであれば、どのような切断方法であってもよい。例えば、図５（ａ）に示すように、切断面の傾斜の向きを、互い違いに設定してもよい。また、図５（ｂ）に示すように、垂直な切断面と、傾斜面とを交互に設定して、分割されたスポンジ片が、全部同形状になるようにしてもよい。
【００１９】
ただし、切断面として、少なくとも片方は傾斜面となっていることが好ましい。垂直な切断面では、化粧作業性があまりよくないからである。そして、使い勝手のよい傾斜面を得るには、その傾斜面が長手方向となす角度θを、２５〜７５°、なかでも３５〜６０°に設定することが特に好適である。すなわち、θが２５°未満では、傾斜部が長く延びすぎて、化粧料塗布時の使い勝手が悪くなるおそれがあり、逆に、θが７５°を超えると、塗布に用いる縁部が肉厚になりすぎて顔面への追従性が悪くなるおそれがあるからである。
【００２０】
また、上記の例において、１個のスポンジ片ＸまたはＹを収容する小袋３を設けることは、必ずしも必要ではない。ただし、携帯したり、使用中のスポンジ片ＸまたはＹの収容を考慮すれば、設けた方が便利である。その場合、小袋３は、上記の例に限らず、１個のスポンジ片ＸまたはＹを収容するスペースを有するものであれば、どのような構成であっても差し支えない。
【００２１】
一方、スポンジ体１の包装形態も、上記の例のように、円筒状包材２に嵌入した状態で、包装箱４に収容する必要はなく、例えば、スポンジ体１を有底筒状の袋に収容して上部開口をテープ等で閉じる、といった簡単な形態にしてもよい。また、プラスチック製の筒状容器に挿入保持する形態にしてもよい。ただし、切断前の円柱状を保持した状態で保持することが、切断面の汚染や型崩れの防止、販売時の見栄えのよさの点で、重要である。
【００２２】
なお、スポンジ体１を構成するスポンジ材は、通常、化粧料塗布用のパフに用いられているものであれば、特に限定するものではなく、ウレタンスポンジ、シリコーンスポンジ等、適宜のものを用いることができる。
【００２３】
また、スポンジ体１の全体の大きさは、用途に応じて、適宜に設定することができる。例えば、ファンデーションを塗布する用途のものは、通常、直径２０〜６０ｍｍ、なかでも２５〜４５ｍｍの円柱状に設定することが、使い勝手の上で、好適である。
【００２４】
また、ベースメイク用の補正化粧料やフェイスシャドウ、チークカラー、アイカラー等の塗布用に用いる場合、やや小さめの円柱状とすることが、塗布作業上、好適である。例えば、アイカラー用とする場合には、直径１０〜２０ｍｍ程度の円柱状とすることが好適である。
【００２５】
そして、スポンジ体１の全体の長さ（切断前の長さ）は、特に限定するものではなく、包装形態に応じて、適宜に設定される。なお、その長さに応じて、各スポンジ片Ｘ、Ｙが使いやすい大きさとなるような間隔で、複数のスポンジ片Ｘ、Ｙを切り出すようにする。
【００２６】
また、上記の例では、円柱状のスポンジ体１を用いたが、スポンジ体１は、円柱状に限らず、周面の長手方向に凹凸が形成されたものや、断面楕円形状のもの、多角柱状のもの、角部がＲに形成された多角柱状のもの、各角部が面取りされたもの等を、適宜に用いることができる。本発明では、これらを総称して「略柱状」という。
【図面の簡単な説明】
【００２７】
【図１】本発明の一実施例を示す説明図である。
【図２】上記実施例に用いるスポンジ体の説明図である。
【図３】（ａ）、（ｂ）は、ともに上記スポンジ体１を構成するスポンジ片の説明図である。
【図４】（ａ）は、図１に示された小袋のＡ−Ａ′断面図、（ｂ）はその使用態様の説明図である。
【図５】（ａ）、（ｂ）は、ともに上記実施例に用いるスポンジ体の変形例を示している。
【符号の説明】
【００２８】
１  スポンジ体
２  円筒状包材
Ｘ、Ｙ  スポンジ片
【図１】
2005160630.tif 000003
【図２】
2005160630.tif 000004
【図３】
2005160630.tif 000005
【図４】
2005160630.tif 000006
【図５】
2005160630.tif 000007